(57)【特許請求の範囲】
【請求項１】
記録媒体に記録された画像情報を読取る読取手段と、この読取手段によって読取られた画像情報を送信する送信先を特定する送信先情報を設定する送信先情報設定手段と、この送信先情報設定手段によって設定された送信先情報によって特定される送信先へ、前記読取手段によって読取られた画像情報に送信元を示す送信元情報を添付して通信手段を介して送信する送信手段と、を備えたファクシミリ装置において、
装置固有の送信元情報とは異なる別の送信元情報を設定する送信元情報設定手段が備えられており、
前記送信手段は、
前記送信元情報設定手段により、前記別の送信元情報が設定されているかを判断する判断手段を備えており、前記画像情報を送信する際に、前記送信元情報設定手段によって設定された別の送信元情報を前記読取手段によって読取られた画像情報に付加して、前記送信先情報設定手段によって設定された送信先情報により特定される送信先へ送信し、且つ、前記判断手段が前記送信元情報設定手段により前記別の送信元情報が設定されていると判断した場合には、前記読取手段によって読取られた画像情報を前記送信元情報設定手段によって設定された別の送信元情報により示される相手先にも送信することを特徴とするファクシミリ装置。
【請求項２】
記録媒体に記録された画像情報を読取る読取手段と、この読取手段によって読取られた画像情報を送信する送信先を特定する送信先情報を設定する送信先情報設定手段と、この送信先情報設定手段によって設定された送信先情報によって特定される送信先へ、前記読取手段によって読取られた画像情報に送信元を示す送信元情報を添付して通信手段を介して送信する送信手段と、を備えたファクシミリ装置において、
装置固有の送信元情報とは異なる別の送信元情報を設定する送信元情報設定手段が備えられており、
前記送信手段は、
前記送信元情報設定手段により、前記別の送信元情報が設定されているかを判断する判断手段と、前記送信先情報設定手段によって設定された送信先情報により特定される送信先に対する画像情報の送信結果を示す送信結果情報を出力する出力手段とを備えており、前記画像情報を送信する際に、前記送信元情報設定手段によって設定された別の送信元情報を前記読取手段によって読取られた画像情報に付加して、前記送信先情報設定手段によって設定された送信先情報により特定される送信先へ送信し、且つ、前記判断手段が前記送信元情報設定手段により前記別の送信元情報が設定されていると判断した場合には、前記送信元情報設定手段によって設定された別の送信元情報により示される相手先へ、前記出力手段によって出力された送信結果情報を送信することを特徴とするファクシミリ装置。
【請求項３】
記録媒体に記録された画像情報を読取る読取手段と、この読取手段によって読取られた画像情報を送信する送信先を特定する送信先情報を設定する送信先情報設定手段と、この送信先情報設定手段によって設定された送信先情報によって特定される送信先へ、前記読取手段によって読取られた画像情報に送信元を示す送信元情報を添付して通信手段を介して送信する送信手段と、を備えたファクシミリ装置を制御するコンピュータプログラムが格納された記憶媒体において、
装置固有の送信元情報とは異なる別の送信元情報を設定する送信元情報設定プログラムと、
前記画像情報を送信する際に、前記送信元情報設定プログラムによって設定された別の送信元情報を前記読取手段によって読取られた画像情報に付加して、前記送信先情報設定手段によって設定された送信先情報により特定される送信先へ送信し、且つ、前記送信元情報設定プログラムによって別の送信元情報が設定されているかを判断し、前記別の送信元情報が設定されていると判断した場合には、前記読取手段によって読取られた画像情報を前記送信元情報設定プログラムによって設定された別の送信元情報により示される相手先にも送信する送信プログラムと、を含むコンピュータプログラムが格納されていることを特徴とする記憶媒体。
【請求項４】
記録媒体に記録された画像情報を読取る読取手段と、この読取手段によって読取られた画像情報を送信する送信先を特定する送信先情報を設定する送信先情報設定手段と、この送信先情報設定手段によって設定された送信先情報によって特定される送信先へ、前記読取手段によって読取られた画像情報に送信元を示す送信元情報を添付して通信手段を介して送信する送信手段と、を備えたファクシミリ装置を制御するコンピュータプログラムが格納された記憶媒体において、
装置固有の送信元情報とは異なる別の送信元情報を設定する送信元情報設定プログラムと、
前記画像情報を送信する際に、前記送信元情報設定プログラムによって設定された別の送信元情報を前記読取手段によって読取られた画像情報に付加して、前記送信先情報設定手段によって設定された送信先情報により特定される送信先へ送信し、且つ、前記送信先情報設定手段によって設定された送信先情報により特定される送信先に対する画像情報の送信結果を示す送信結果情報を出力し、前記送信元情報設定プログラムによって別の送信元情報が設定されているかを判断し、前記別の送信元情報が設定されていると判断した場合には、前記送信元情報設定プログラムによって設定された別の送信元情報により示される相手先へ、前記出力された送信結果情報を送信する送信プログラムと、を含むコンピュータプログラムが格納されていることを特徴とする記憶媒体。
【発明の詳細な説明】
【０００１】
【発明の属する技術分野】
本発明は、ファクシミリ装置、複数のファクシミリ装置間を通信ネットワークで接続したファクシミリシステム、およびファクシミリ装置を制御するコンピュータプログラムが格納された記憶媒体に関する。
【０００２】
【従来の技術】
従来、上記ファクシミリ装置として、たとえば、送信先のファクシミリ番号を記憶する機能と、装置固有の氏名や名称およびファクシミリ番号を記憶する機能とを備えたものが知られている。
このような装置では、原稿に記録された画像情報を内蔵されたイメージスキャナで読取り、その読取られた画像情報を指定された送信先のファクシミリ装置へ、公衆通信交換網を介して送信する。このとき、送信元の氏名や名称、ファクシミリ番号は、画像情報と共に送信先へ送信され、送信先のファクシミリ装置によって記録用紙の上端部などに記録され、あるいは、送信先のファクシミリ装置の液晶表示部（ＬＣＤ）などに表示される。
【０００３】
【発明が解決しようとする課題】
ところで、オフイスなどでは、１台のファクシミリ装置と複数の個人用ＰＣ（Ｐｅｒｓｏｎａｌ  Ｃｏｍｐｕｔｅｒ）とが接続され、そのＰＣを使用する者が、上記１台のファクシミリ装置を共同で使用する場合がある。このような場合、ＰＣを使用する者が、上記ファクシミリ装置（送信元のファクシミリ装置）によって原稿をファクシミリ送信すると、ファクシミリ装置固有の氏名や名称およびファクシミリ番号が、送信先のファクシミリ装置によって受信され、記録用紙の上端部に記録されたり、あるいは、送信先のファクシミリ装置のＬＣＤなどに表示される。
このため、送信先の者は、記録用紙に記録された、あるいは、ＬＣＤに表示された氏名や名称およびファクシミリ番号を見て送信元を認識し、その送信元へ返信用のファクシミリ送信を行うことになる。
したがって、送信先から返信されるファクシミリデータは、送信元である共用のファクシミリ装置へ送信されてしまうため、実際に送信を行った者は、返信内容をすぐに知ることができないという問題がある。
【０００４】
そこで、本発明は、装置固有の送信元情報とは異なる別の送信元情報を設定し、その設定された別の送信元情報を画像情報に付加して送信先へ送信することができるファクシミリ装置、ファクシミリシステムおよび記憶媒体を実現することを目的とする。
【０００５】
【課題を解決するための手段】
本発明は、上記目的を達成するため、請求項１に記載の発明では、記録媒体に記録された画像情報を読取る読取手段と、この読取手段によって読取られた画像情報を送信する送信先を特定する送信先情報を設定する送信先情報設定手段と、この送信先情報設定手段によって設定された送信先情報によって特定される送信先へ、前記読取手段によって読取られた画像情報に送信元を示す送信元情報を添付して通信手段を介して送信する送信手段と、を備えたファクシミリ装置において、装置固有の送信元情報とは異なる別の送信元情報を設定する送信元情報設定手段が備えられており、前記送信手段は、前記送信元情報設定手段により、前記別の送信元情報が設定されているかを判断する判断手段を備えており、前記画像情報を送信する際に、前記送信元情報設定手段によって設定された別の送信元情報を前記読取手段によって読取られた画像情報に付加して、前記送信先情報設定手段によって設定された送信先情報により特定される送信先へ送信し、且つ、前記判断手段が前記送信元情報設定手段により前記別の送信元情報が設定されていると判断した場合には、前記読取手段によって読取られた画像情報を前記送信元情報設定手段によって設定された別の送信元情報により示される相手先にも送信するという技術的手段を採用する。
【０００６】
請求項２に記載の発明では、記録媒体に記録された画像情報を読取る読取手段と、この読取手段によって読取られた画像情報を送信する送信先を特定する送信先情報を設定する送信先情報設定手段と、この送信先情報設定手段によって設定された送信先情報によって特定される送信先へ、前記読取手段によって読取られた画像情報に送信元を示す送信元情報を添付して通信手段を介して送信する送信手段と、を備えたファクシミリ装置において、装置固有の送信元情報とは異なる別の送信元情報を設定する送信元情報設定手段が備えられており、前記送信手段は、前記送信元情報設定手段により、前記別の送信元情報が設定されているかを判断する判断手段と、前記送信先情報設定手段によって設定された送信先情報により特定される送信先に対する画像情報の送信結果を示す送信結果情報を出力する出力手段とを備えており、前記画像情報を送信する際に、前記送信元情報設定手段によって設定された別の送信元情報を前記読取手段によって読取られた画像情報に付加して、前記送信先情報設定手段によって設定された送信先情報により特定される送信先へ送信し、且つ、前記判断手段が前記送信元情報設定手段により前記別の送信元情報が設定されていると判断した場合には、前記送信元情報設定手段によって設定された別の送信元情報により示される相手先へ、前記出力手段によって出力された送信結果情報を送信するという技術的手段を採用する。
【０００７】
【０００８】
【０００９】
請求項３に記載の発明では、記録媒体に記録された画像情報を読取る読取手段と、この読取手段によって読取られた画像情報を送信する送信先を特定する送信先情報を設定する送信先情報設定手段と、この送信先情報設定手段によって設定された送信先情報によって特定される送信先へ、前記読取手段によって読取られた画像情報に送信元を示す送信元情報を添付して通信手段を介して送信する送信手段と、を備えたファクシミリ装置を制御するコンピュータプログラムが格納された記憶媒体において、装置固有の送信元情報とは異なる別の送信元情報を設定する送信元情報設定プログラムと、前記画像情報を送信する際に、前記送信元情報設定プログラムによって設定された別の送信元情報を前記読取手段によって読取られた画像情報に付加して、前記送信先情報設定手段によって設定された送信先情報により特定される送信先へ送信し、且つ、前記送信元情報設定プログラムによって別の送信元情報が設定されているかを判断し、前記別の送信元情報が設定されていると判断した場合には、前記読取手段によって読取られた画像情報を前記送信元情報設定プログラムによって設定された別の送信元情報により示される相手先にも送信する送信プログラムと、を含むコンピュータプログラムが格納されているという技術的手段を採用する。
請求項４に記載の発明では、記録媒体に記録された画像情報を読取る読取手段と、この読取手段によって読取られた画像情報を送信する送信先を特定する送信先情報を設定する送信先情報設定手段と、この送信先情報設定手段によって設定された送信先情報によって特定される送信先へ、前記読取手段によって読取られた画像情報に送信元を示す送信元情報を添付して通信手段を介して送信する送信手段と、を備えたファクシミリ装置を制御するコンピュータプログラムが格納された記憶媒体において、装置固有の送信元情報とは異なる別の送信元情報を設定する送信元情報設定プログラムと、前記画像情報を送信する際に、前記送信元情報設定プログラムによって設定された別の送信元情報を前記読取手段によって読取られた画像情報に付加して、前記送信先情報設定手段によって設定された送信先情報により特定される送信先へ送信し、且つ、前記送信先情報設定手段によって設定された送信先情報により特定される送信先に対する画像情報の送信結果を示す送信結果情報を出力し、前記送信元情報設定プログラムによって別の送信元情報が設定されているかを判断し、前記別の送信元情報が設定されていると判断した場合には、前記送信元情報設定プログラムによって設定された別の送信元情報により示される相手先へ、前記出力された送信結果情報を送信する送信プログラムと、を含むコンピュータプログラムが格納されているという技術的手段を用いる。
【００１０】
【作用】
請求項１および請求項２に記載の発明では、上記送信元情報設定手段は、装置固有の送信元情報とは異なる別の送信元情報を設定する。
つまり、従来のファクシミリ装置では、その装置固有の送信元情報、たとえば、送信元の氏名や名称、ファクシミリ番号しか設定できなかったが、上記送信元情報設定手段によれば、装置固有の送信元情報とは異なる別の送信元情報を設定することができる。
たとえば、後述する発明の実施の形態に記載するように、１台のファクシミリ装置と複数の個人用ＰＣが接続されている場合において、ＰＣを使用する者が上記ファクシミリ装置からファクシミリ送信をする場合に、上記送信元情報設定手段によって自分の氏名およびメールアドレスを設定することができる。
【００１１】
そして、上記送信手段は、記録媒体に記録された画像情報を読取る読取手段によって読取られた画像情報を送信する際に、上記送信元情報設定手段によって設定された別の送信元情報を上記画像情報に付加して、上記送信先情報設定手段によって設定された送信先情報により特定される送信先へ送信する。
つまり、従来のファクシミリ装置では、画像情報を送信する際に、装置固有の送信元情報を画像情報に付加して送信先へ送信するが、上記送信手段によれば、上記送信元情報設定手段によって設定された、装置固有の送信元情報とは異なる別の送信元情報を画像情報に付加して送信先へ送信することができる。
【００１２】
たとえば、後述する発明の実施の形態に記載するように、ファクシミリ装置を使用する者は、送信元情報設定手段によって自分の氏名およびメールアドレスを設定し、その設定された氏名およびメールアドレスを画像データに付加して送信先へ送信することができる。
したがって、上記送信元情報設定手段および送信手段を用いることにより、送信先の者は、画像情報に付加して送信された上記別の送信元情報を知ることができ、その送信元情報により示される送信元へ返信を行うことができる。これにより、ファクシミリ装置によって画像情報を送信した者は、送信先から送信された返信情報を自分のいる所で受信することができる。
【００１３】
特に、請求項１に記載の発明では、上記送信手段は、読取手段によって読取られた画像情報を通信手段を介して送信する際に、判断手段が、送信元情報設定手段により別の送信元情報が設定されていると判断した場合には、読取手段によって読取られた画像情報を上記別の送信元情報により示される相手先にも送信する。
つまり、送信先へ送信された画像情報と同じ画像情報が、上記別の送信元情報により示される相手先にも送信される。
したがって、ファクシミリ装置から送信先へ画像情報を正常に送信できなかった場合であっても、ファクシミリ装置から上記相手先へ画像情報が送信されるため、上記相手先から上記送信先へ画像情報を再送することができる。
【００１４】
たとえば、後述する発明の実施の形態に記載するように、１台のファクシミリ装置に複数のＰＣが接続されており、ＰＣにはイメージスキャナが接続されていない場合において、ＰＣを使用する者が上記ファクシミリ装置から原稿をファクシミリ送信をする場合に、上記送信元情報設定手段によって自分のメールアドレスを設定しておくことにより、ファクシミリ装置で読取られた画像情報と同じ画像情報を自分のＰＣへも送信させることができる。これにより、ファクシミリ装置から送信先へ画像情報を正常に送信できなかった場合であっても、上記ＰＣを使用する者は、自分のＰＣによって受信した画像情報を自分のＰＣから送信先へ再送することができる。
したがって、再度、ファクシミリ装置を設置している所へ行き、原稿をファクシミリ装置で読取り、その読取られた画像情報を送信するという手間を省くことができる。
【００１５】
また、請求項２に記載の発明では、上記出力手段は、上記送信先情報設定手段によって設定された送信先情報により特定される送信先に対する画像情報の送信結果を示す送信結果情報を出力する。そして、上記送信手段は、判断手段が、送信元情報設定手段により別の送信元情報が設定されていると判断した場合には、上記別の送信元情報により示される相手先へ、上記出力手段によって出力された送信結果情報を送信することができる。
つまり、送信結果情報が、上記別の送信元情報により示される相手先へ送信されるため、上記相手先の者は、送信結果を知ることができる。
たとえば、後述する発明の実施の形態に記載するように、１台のファクシミリ装置に複数の個人用ＰＣが接続されている場合において、ＰＣを使用する者が上記ファクシミリ装置からファクシミリ送信をする場合に、上記送信元情報設定手段によって自分のメールアドレスを設定しておくことにより、送信結果情報を自分のＰＣで受信することができる。そして、その受信した送信結果情報をＰＣで再生することにより、送信結果を知ることができる。
したがって、送信結果をすぐに知ることができるため、その送信結果が画像情報を正常に送信できなかったことを示すものである場合は、すぐに画像情報を再送する手段を講じることができる。
【００１６】
【００１７】
【００１８】
また、本発明の目的は、請求項３または請求項４に記載の記憶媒体によって達成することができる。
つまり、請求項３に記載の記憶媒体に格納されている送信元情報設定プログラムをファクシミリ装置に備えられたＣＰＵ、あるいは、ファクシミリ装置に接続されたコンピュータに実行させることにより、装置固有の送信元情報とは異なる別の送信元情報をファクシミリ装置に設定することができ、送信プログラムをファクシミリ装置に備えられたＣＰＵ、あるいは、ファクシミリ装置に接続されたコンピュータに実行させることにより、ファクシミリ装置から画像情報を送信する際に、上記送信元情報設定プログラムによって設定された別の送信元情報を読取手段によって読取られた画像情報に付加して、ファクシミリ装置から、送信先情報設定手段によって設定された送信先情報により特定される送信先へ送信することができ、さらに、送信元情報設定プログラムによって別の送信元情報が設定されているかを判断し、別の送信元情報が設定されていると判断した場合には、読取手段によって読取られた画像情報を送信元情報設定プログラムによって設定された別の送信元情報により示される相手先にも送信することができるからである。
また、請求項４に記載の記憶媒体に格納されている送信元情報設定プログラムをファクシミリ装置に備えられたＣＰＵ、あるいは、ファクシミリ装置に接続されたコンピュータに実行させることにより、装置固有の送信元情報とは異なる別の送信元情報をファクシミリ装置に設定することができ、送信プログラムをファクシミリ装置に備えられたＣＰＵ、あるいは、ファクシミリ装置に接続されたコンピュータに実行させることにより、ファクシミリ装置から画像情報を送信する際に、上記送信元情報設定プログラムによって設定された別の送信元情報を読取手段によって読取られた画像情報に付加して、ファクシミリ装置から、送信先情報設定手段によって設定された送信先情報により特定される送信先へ送信することができ、さらに、送信先情報設定手段によって設定された送信先情報により特定される送信先に対する画像情報の送信結果を示す送信結果情報を出力し、送信元情報設定プログラムによって別の送信元情報が設定されているかを判断し、別の送信元情報が設定されていると判断した場合には、送信元情報設定プログラムによって設定された別の送信元情報により示される相手先へ、出力された送信結果情報を送信することができるからである。
請求項３または請求項４の記憶媒体は、たとえば、後述する発明の実施の形態に記載するように、ファクシミリ装置に備えられたＲＯＭとして用いられ、あるいは、ファクシミリ装置に接続されたＰＣにコンピュータプログラムをインストールするためのＣＤ−ＲＯＭやＦＤ（Ｆｌｅｘｉｂｌｅ  Ｄｉｓｋ）として用いられる。
【００１９】
【発明の実施の形態】
以下、本発明のファクシミリ装置、ファクシミリシステムおよび記憶媒体の一実施形態について図を参照して説明する。
なお、以下の実施形態では、本発明のファクシミリ装置として、ファクシミリ機能、プリンタ機能、コピー機能、イメージスキャナ機能、ＰＣファクス機能および留守録メモリ機能などの複数の機能を有する、いわゆるマルチファンクションタイプのファクシミリ装置を代表に説明し、本発明のファクシミリシステムとして、企業内で構築されたＬＡＮに接続された１台のファクシミリ装置および複数のＰＣと送信先のファクシミリ装置とをインターネットおよび公衆通信交換網を介して接続したファクシミリシステムを代表に説明する。
【００２０】
最初に、本実施形態のファクシミリシステムのネットワークについて、それをブロックで示す図１を参照して説明する。
企業Ｃ内には、１台のファクシミリ装置１０および複数のＰＣ２，３，４が設置されており、ファクシミリ装置１０および各ＰＣは、それぞれＨＵＢ５を介してＬＡＮケーブル１によって接続されている。また、ＨＵＢ５は、電子メールの配信を行うメールサーバ６に接続されており、メールサーバ６は、電話回線７によって電話交換機６０に接続されている。
【００２１】
電話交換機６０は、企業Ｃが接続契約しているＳＭＴＰサーバ（Ｓｉｍｐｌｅ  Ｍａｉｌ  Ｔｒａｎｓｆｅｒ  Ｐｒｏｔｏｃｏｌ  Ｓｅｒｖｅｒ）６１に接続されており、ＳＭＴＰサーバ６１は、インターネットＡを介して送信先のファクシミリ装置９の使用者が接続契約しているＳＭＴＰサーバ６２に接続されている。ＳＭＴＰサーバ６２は、電話交換機６３に接続されており、電話交換機６３は、電話回線８を介して送信先のファクシミリ装置９に接続されている。
また、電話交換機６０と電話交換機６３との間は、公衆通信交換網Ｂによって接続されており、通常のファクシミリ通信が可能とされている。
なお、本実施形態のファクシミリ装置１０およびファクシミリ装置９は、装置に内蔵されたイメージスキャナ（図３に符号３８で示す）によって読取られた画像データを電子メールに添付してインターネットＡを介して送信する機能と、画像データの添付された電子メールを受信して再生する機能とを備えている。また、各ＰＣ２，３，４は、画像データを電子メールに添付してインターネットＡを介して送信する機能と、画像データの添付された電子メールを受信して再生する機能とを備えている。
ところで、インターネットＡおよび公衆通信交換網Ｂが、本発明の通信手段に対応し、ファクシミリ装置９が、本発明の受信側端末装置に対応する。
【００２２】
次に、本実施形態のファクシミリ装置１０の構成について、その外観を示す図２を参照して説明する。
ファクシミリ装置１０には、箱形状のハウジング２０が備えられており、このハウジング２０の上面前部には操作パネル１１が設けられている。操作パネル１１には、「０」〜「９」のテンキー１２が設けられている。テンキー１２は、本発明の送信先情報たる送信先の送信先名、ファクシミリ番号およびメールアドレス（以下、送信先データと称する）などの入力に用いる。また、テンキー１２は、本発明の装置固有の送信元情報たる送信元の氏名、名称、ファクシミリ番号およびメールアドレス（以下、装置固有データと称する）と、本発明の別の送信元情報、つまり、ファクシミリ装置１０を使用する者（各ＰＣのユーザ）の氏名、名称、ファクシミリ番号およびメールアドレス（以下、使用者データと称する）との入力に用いる。
【００２３】
さらに、操作パネル１１には、原稿の読取開始などを指示するためのスタートボタン１４、画像データの送信中止などを指示するためのストップボタン１３、送信先データ、または、使用者データをワンタッチで読出すための短縮ダイヤルボタン１５、通常のファクシミリ通信かインターネットファクシミリ通信かを切替えるための通信切替ボタン１６、テンキー１２を用いて入力された装置固有データ、送信先データおよび使用者データの登録を決定するための登録ボタン１７、装置固有データ、送信先データおよび使用者データの登録、または、指定を切替えるための切替ボタン２６などが設けられている。
なお、テンキー１２は、送信先および送信元の氏名、名称、アドレスを設定するために、数字以外に文字や記号も入力できるようになっている。
【００２４】
操作パネル１１の後部には、装置固有データ、送信先データ、使用者データ、ファクシミリ装置１０の送信状態、送信結果、受信状態、動作状態およびファンクションなどを表示する液晶表示部（ＬＣＤ）１８が設けられており、この液晶表示部１８の後部には、送信原稿やコピー原稿をセットする原稿セット部１９が設けられている。この原稿セット部１９にセットされた原稿は、ハウジング２０の内部に設けられた紙送り機構（図示省略）によってハウジング２０の内部へ搬送され、この搬送された原稿の画像情報は、イメージスキャナ（図３に符号３８で示す）によって読み取られる。この読取られた原稿は、操作パネル１１の下方に設けられた原稿排出口２１を介してトレイ２２上に積層可能に排出される。
【００２５】
原稿セット部１９の後部には、受信した画像データやＰＣ（Ｐｅｒｓｏｎａｌ  Ｃｏｍｐｕｔｅｒ、図３に符号４８で示す）から送信された印刷データを記録するための記録用紙をセットする記録用紙セット部２３が設けられている。この記録用紙セット部２３には、複数枚の記録用紙を積層して収納可能な記録用紙カセット（図示省略）が着脱自在に取り付けられる。この記録用紙カセットに収納された記録用紙は、上記紙送り機構によってハウジング２０の内部へ搬送され、この搬送された記録用紙には、インクジェットプリンタ（図３に符号５０で示す）によって記録が行われる。この記録された記録用紙は、トレイ２２の下方に設けられた記録用紙排出部２４から排出される。
【００２６】
また、ハウジング２０の前面右下にはビデオ信号入力端子２５が設けられており、このビデオ信号入力端子２５に接続されたビデオカメラなどから出力されるビデオ信号は、ファクシミリ装置１０の内部へ取り込まれ、インクジェットプリンタ５０によって印刷される。
なお、図示しないが、ハウジング２０の背面には、ＬＡＮ回線１（図１、図３）を接続するための通信端子と、公衆通信交換網Ｂを接続するための通信端子と、ＰＣ４８（図３）と接続するための接続ケーブル４７を接続する端子とが設けられており、左側面には、送信先と通話などを行うための受話器が設けられている。
【００２７】
次に、ファクシミリ装置１０の電気的構成について、それをブロックで示す図３を参照して説明する。
ファクシミリ装置１０には、ファクシミリユニットＦＵおよびプリンタユニットＰＵが備えられており、両ユニットは、インターフェース４１によって相互に接続されている。
ファクシミリユニットＦＵには、装置固有データ、送信先データおよび使用者データの登録、イメージスキャナ３８の動作制御、画像データの送受信制御、電子メールの送受信制御、ＰＣ４８間での各種データの入出力制御などを実行するＣＰＵ３０が備えられている。
【００２８】
ＣＰＵ３０は、ファクシミリ制御回路４０に接続されており、ファクシミリ制御回路４０には、ＲＯＭ３１、ＲＡＭ３２およびＥＥＰＲＯＭ３３が接続されている。
ここで、ＥＥＰＲＯＭ３３に格納されている各種テーブルの構成についてそれを示す図４（Ａ）ないし図４（Ｃ）を参照して説明する。
ＥＥＰＲＯＭ３３には、図４（Ａ）に示す送信先データテーブル３３ａが格納されている。送信先データテーブル３３ａは、Ｎｏ．１〜Ｎｏ．１００までの１００個の送信先登録番号のそれぞれに対して、送信先名と、送信先のファクシミリ番号と、送信先のメールアドレスとが記憶可能に構成されている。
【００２９】
また、ＥＥＰＲＯＭ３３には、図４（Ｂ）に示す使用者データテーブル３３ｂが格納されている。使用者データテーブル３３ｂは、Ｎｏ．１〜Ｎｏ．１２までの１２個の使用者登録番号に対して、使用者名と、使用者のファクシミリ番号と、使用者のメールアドレスとが記憶可能に構成されている。
さらに、ＥＥＰＲＯＭ３３には、図４（Ｃ）に示す装置固有データテーブル３３ｃが格納されている。装置固有データテーブル３３ｃは、ファクシミリ装置１０が設置されている送信元名（たとえば、部所の名称）と、ファクシミリ番号と、メールアドレスとを対応付けて記憶可能に構成されている。
【００３０】
次に、ＲＯＭ３１に格納されているコンピュータプログラムの種類について、それを示す図４（Ｄ）を参照して説明する。
ＲＯＭ３１には、ＣＰＵ３０が、装置固有データを上記装置固有データテーブル３３ｃに登録する処理を実行するための装置固有データ登録プログラム３１ａと、ＣＰＵ３０が、送信先データを上記送信先データテーブル３３ａに登録する処理を実行するための送信先データ登録プログラム３１ｂと、ＣＰＵ３０が、使用者データを上記使用者データテーブル３３ｂに登録する処理を実行するための使用者データ登録プログラム３１ｃとが格納されている。
また、ＲＯＭ３１には、画像データ、電子メール、または、画像データを添付した電子メールを送信するためにＣＰＵ３０により実行される送信制御プログラム３１ｄと、画像データ、電子メール、または、画像データを添付した電子メールを受信するためにＣＰＵ３０により実行される受信制御プログラム３１ｅとが格納されている。
【００３１】
さらに、ＲＡＭ３２は、ＲＯＭ３１から読出された各種プログラム、イメージスキャナ３８により読取られた画像データ、受信した電子メールなどを一時的に記憶する。
ところで、短縮ダイヤルボタン１５は、送信先データテーブル３３ａおよび使用者データテーブル３３ｂの登録番号Ｎｏ．１〜Ｎｏ．１２と対応しており、それ以外の登録番号は、テンキー１２によって直接登録番号を入力することで各テーブルから読出可能になっている。
ここで、図３の説明に戻り、ファクシミリ制御回路４０には、ＬＡＮボード５１と、ＮＣＵ（Ｎｅｔｗｏｒｋ  Ｃｏｎｔｒｏｌ  Ｕｎｉｔ）３４と、モデム３５と、イメージスキャナ３８によってスキャンされた画像データを圧縮されたデータに変換するために符号化する符号器３６と、受信された画像データの符号化されたデータを復号化する復号器３７と、原稿がセットされたことを検出する原稿センサ３９とが接続されている。
【００３２】
プリンタユニットＰＵには、インクジェットプリンタ５０を制御するプリンタ制御回路４２が備えられており、このプリンタ制御回路４２には、インクジェットプリンタ５０を制御するプログラムを実行するＣＰＵ４３が接続されている。また、プリンタ制御回路４２には、ＣＰＵ４３により実行されるプログラムなどが記憶されたＲＯＭ４４と、ＣＰＵ４３の実行時に使用されるワークメモリや印刷用データを記憶するプリントメモリなどを有するＲＡＭ４５と、ＰＣ４８が接続されるＰＣ用インターフェース４６と、印刷用の文字などのベクトルフォントが記憶されたキャラクタジェネレータ（ＣＧ）４９とが接続されている。
ところで、ＥＥＰＲＯＭ３３において送信先データテーブル３３ａが記憶されている記憶領域が本発明の送信先情報設定手段として機能し、使用者データテーブル３３ｂが記憶されている記憶領域が送信元情報設定手段として機能する。
また、送信先データテーブル３３ａを使用しないで、送信先データをテンキー１２を用いて直接入力する場合は、テンキー１２が送信先情報設定手段として機能し、使用者データテーブル３３ｂを使用しないで、使用者データをテンキー１２を用いて直接入力する場合は、テンキー１２が送信元情報設定手段として機能する。
【００３３】
次に、ＣＰＵ３０が実行する主な処理内容について、それを示す図５のフローチャートを参照して説明する。
ＣＰＵ３０は、テンキー１２を操作して入力される送信先データをＥＥＰＲＯＭ３３に格納されている送信先データテーブル３３ａに登録する処理（ステップ１００）と、使用者データを使用者データテーブル３３ｂに登録する処理（ステップ２００）と、イメージスキャナ３８が読取った画像データ、電子メール、または、画像データを添付した電子メールを送信する送信制御処理（ステップ３００）、画像データ、電子メール、または、画像データを添付した電子メールを受信する受信制御処理（ステップ４００）を実行する。
【００３４】
次に、ＣＰＵ３０がステップ２００において実行する使用者データ登録処理について、それを示す図６のフローチャートを参照して説明する。
なお、ここでは、ＰＣ２を使用している者が、ファクシミリ装置１０を使用して原稿をファクシミリ装置９へファクシミリ送信するものとする。以下、ファクシミリ装置１０を使用する者を使用者と称する。
ＣＰＵ３０は、使用者による切替ボタン２６（図１）の操作によって、使用者データの登録に切替えられたことを検出し（ステップ２０２：Ｙｅｓ）、使用者のテンキー１２の操作により、使用者データの入力を検出すると（ステップ２０４：Ｙｅｓ）、入力された使用者データをＲＡＭ３２に一時的に格納する（ステップ２０６）。ＣＰＵ３０は、入力された使用者データを液晶表示部１８に表示する（ステップ２０８）。使用者は、その表示を見ることにより、入力した使用者データが正しいか否かを確認することができる。
【００３５】
そして、ＣＰＵ３０は、登録ボタン１７が押されたことを検出するまで使用者データの入力、格納および表示を繰り返し（ステップ２０２〜ステップ２０８）、登録ボタン１７が押されたことを検出すると（ステップ２１０：Ｙｅｓ）、ＲＡＭ３２に一時格納されている使用者データを読出してＥＥＰＲＯＭ３３の使用者データテーブル３３ｂに格納する（ステップ２１２）。
このようにして、使用者は、ファクシミリ装置１０に自分の氏名、ファクシミリ番号およびメールアドレスなどを登録することができる。
【００３６】
次に、ＣＰＵ３０がステップ３００において実行する送信制御処理について、それを示す図７のフローチャートを参照して説明する。
ＣＰＵ３０は、使用者によって原稿がセットされたことを原稿センサ３９（図３）から出力される検出信号によって検出すると（ステップ３０２：Ｙｅｓ）、続いて、短縮ダイヤルボタン１５を押して、あるいは、テンキー１２を操作して、送信先が指定されたことを検出し（ステップ３０４：Ｙｅｓ）、その指定された送信先を示す送信先データをＲＡＭ３２に一時格納する（ステップ３０６）。
次に、ＣＰＵ３０は、切替ボタン２６を操作し、短縮ダイヤルボタン、あるいは、テンキー１２によって使用者データの指定がなされたか否かを判定し（ステップ３０８）、使用者データの指定がなされた場合は（ステップ３０８：Ｙｅｓ）、その使用者データをＲＡＭ３２に一時格納する（ステップ３１０）。
【００３７】
続いて、ＣＰＵ３０は、スタートボタン１４が押されたことを検出すると（ステップ３１２：Ｙｅｓ）、イメージスキャナ３８に原稿の読取を開始させ（ステップ３１４）、読取の終了を検出すると（ステップ３１６：Ｙｅｓ）、電子メールを作成する（ステップ３１８）。このとき、イメージスキャナ３８で読取られた画像データは、ファイル化される。また、ステップ３０６で格納された送信先データは、電子メールの中の送信先を示すエリアに登録され、ステップ３０８で使用者が指定され、ステップ３１０で使用者データが格納されている場合は、その使用者データが電子メールの中の送信元を示すエリアに登録される。
なお、本実施形態では、画像データのファイル化形式としてＴＩＦＦ（Ｔａｇ  Ｉｍａｇｅ  Ｆｉｌｅ  Ｆｏｒｍａｔ）が用いられる。
【００３８】
そして、ＣＰＵ３０は、ＳＭＴＰサーバ６１（図１）へダイヤリングし（ステップ３２０）、ＳＭＴＰサーバ６１に接続されると（ステップ３２２：Ｙｅｓ）、電子メールを送信する（ステップ３２４）。続いて、ＣＰＵ３０は、電子メールの送信終了を検出すると（ステップ３３４：Ｙｅｓ）、回線を切断する（ステップ３３６）。
なお、ＳＭＴＰサーバ６１へ送信された電子メールは、インターネットＡを介してＳＭＴＰサーバ６２へ送信され、ＳＭＴＰサーバ６２に格納される。そして、ファクシミリ装置９から電話交換機６３を介してＳＭＴＰサーバ６２へアクセスすることにより、ＳＭＴＰサーバ６２に格納されている電子メールは、ファクシミリ装置９へ送信される。そして、ファクシミリ装置９が、受信した電子メールおよび電子メールに添付された画像データを記録用紙に記録することにより、送信先の者は、画像データの内容を知ることができるとともに、送信元（使用者）の氏名や名称、メールアドレスを知ることができる。
【００３９】
以上のように、本実施形態のファクシミリ装置１０を用いれば、装置固有の送信元データの他に、ファクシミリ装置１０を使用する者の氏名、名称、ファクシミリ番号およびメールアドレスなどを示す使用者データを登録し、その登録した使用者データを画像データを添付した電子メールに登録して送信先へ送信することができる。
また、本実施形態のファクシミリシステムを用いれば、送信先の者は、ファクシミリ装置１０から送信された電子メールの内容をファクシミリ装置９を用いて記録用紙に記録したり、使用者データの部分を液晶表示部に表示したりすることにより、使用者データの内容を知ることができるため、その使用者データにより示される使用者のＰＣ２へ電子メールを返信することができる。
したがって、ファクシミリ装置１０を用いて原稿をファクシミリ送信した使用者は、送信先から返信される電子メールを直接自分のＰＣ２によって受信することができるため、ファクシミリ装置１０の設置してある所へ返信の電子メールを取りに行く手間がなく、すぐに自分のＰＣによって返信の電子メールの内容を知ることができる。
【００４０】
次に、本発明第２実施形態のファクシミリ装置について図８を参照して説明する。
本第２実施形態のファクシミリ装置は、指定された送信先へ送信した電子メールと同じ電子メールをファクシミリ装置の使用者へも送信できることを特徴とする。
図８は、本第２実施形態のファクシミリ装置に備えられたＣＰＵによって実行される送信制御処理を示すフローチャートである。
なお、ＣＰＵによる送信制御処理の一部の処理を除いて他の処理（ステップ３０２〜ステップ３２４）は、前述の第１実施形態のファクシミリ装置１０に備えられたＣＰＵ３０が実行する処理と同じであるため、その説明を省略する。また、ファクシミリ装置の機械的構成および電気的構成は、第１実施形態のファクシミリ装置１０と同じであるため、その説明を省略する。
【００４１】
ＣＰＵ３０は、送信先へ電子メールを送信すると（ステップ３２４）、ステップ３１０において使用者データがＲＡＭ３２に一時格納されているかを判定し（ステップ３３０）、使用者データがＲＡＭ３２に格納されていると判定すると（ステップ３３０：Ｙｅｓ）、その使用者データによって示される使用者へ、ステップ３２４において送信先へ送信した電子メールと同じ電子メールを送信する（ステップ３３１）。
これにより、使用者は、自分のＰＣ２によって電子メールを受信し、その受信した電子メールをＰＣ２に備えられたディスプレイで表示したり、ＰＣ２に接続されたプリンタによって印刷したりすることにより、自分が送信した電子メールの内容を確認することができる。
そして、ＣＰＵ３０は、電子メールの送信終了を検出すると（ステップ３３４：Ｙｅｓ）、回線を切断する（ステップ３３６）。
【００４２】
以上のように、本第２実施形態のファクシミリ装置１０を用いれば、送信先へ送信した電子メールと同じ電子メールをファクシミリ装置１０の使用者のＰＣ２へも送信することができる。
したがって、ファクシミリ装置１０から電子メールを正常に送信できなかった場合であっても、自分のＰＣ２によって受信した電子メールを自分のＰＣ２から直接送信先へ再送することができる。
【００４３】
次に、本発明第３実施形態のファクシミリ装置について図９を参照して説明する。
本第３実施形態のファクシミリ装置は、送信結果をファクシミリ装置の使用者へ送信できることを特徴とする。
図９は、本第３実施形態のファクシミリ装置に備えられたＣＰＵによって実行される送信制御処理を示すフローチャートである。
なお、ＣＰＵによる送信制御処理の一部の処理を除いて他の処理（ステップ３０２〜ステップ３２４）は、前述の第１実施形態のファクシミリ装置１０に備えられたＣＰＵ３０が実行する処理と同じであるため、その説明を省略する。また、ファクシミリ装置の機械的構成および電気的構成は、第１実施形態のファクシミリ装置１０と同じであるため、その説明を省略する。
【００４４】
ＣＰＵ３０は、送信先へ電子メールを送信し（ステップ３２４）、その送信終了を検出すると（ステップ３２６：Ｙｅｓ）、その送信結果を出力する（ステップ３２８）。つまり、送信結果を液晶表示部１８に表示するとともに、送信結果を示す送信結果データをＲＡＭ３２に一時格納する（ステップ３２８）。続いて、ＣＰＵ３０は、ＲＡＭ３２に使用者データが格納されているか否かを判定し（ステップ３３０）、ＲＡＭ３２に使用者データが格納されていると判定すると（ステップ３３０：Ｙｅｓ）、ＲＡＭ３２に一時格納されている送信結果データを読出して、上記使用者データにより示される使用者のＰＣ２へ送信する（ステップ３３２）。
これにより、使用者は、自分のＰＣ２によって送信結果データを受信し、その受信した送信結果データをＰＣ２に備えられたディスプレイで表示したり、ＰＣ２に接続されたプリンタによって印刷したりすることにより、自分が送信した電子メールの送信結果を確認することができる。
そして、ＣＰＵ３０は、電子メールの送信終了を検出すると（ステップ３３４：Ｙｅｓ）、回線を切断する（ステップ３３６）。
【００４５】
以上のように、本第３実施形態のファクシミリ装置１０を用いれば、送信先へ送信した電子メールの送信結果を自分のＰＣ２によって受信して確認することができる。
したがって、ファクシミリ装置１０の使用者は、ファクシミリ装置１０から電子メールを正常に送信できたか否かを自分のＰＣ２によってすぐに知ることができる。これにより、送信結果が、正常に送信できなかったことを示すものである場合は、上記使用者は、ファクシミリ装置１０から電子メールを送信先へ再送信する手段をすぐに講じることができる。
【００４６】
次に、本発明のファクシミリシステムの一実施形態について図１０および図１１を参照して説明する。
図１０は、送信先のファクシミリ装置９に備えられたＣＰＵ９ａ（図１）によって実行される返信制御処理を示すフローチャートであり、図１１は、ファクシミリ装置９から返信される電子メールを受信するＰＣ２に備えられたＣＰＵ２ａ（図１）によって実行される受信制御処理を示すフローチャートである。
なお、本実施形態のファクシミリシステムのネットワークは、前述のように、図１に示す構成である。また、ここでは、既にファクシミリ装置１０からファクシミリ装置９へ送信された電子メールは、ＳＭＴＰサーバ６２に格納されており、ＰＣ２の使用者がファクシミリ装置１０を用いて電子メールを送信したものとする。
【００４７】
ＣＰＵ９ａは、図１０に示すように、ＳＭＴＰサーバ６２へダイヤリングを行い（ステップ５００）、ＳＭＴＰサーバ６２との接続を検出すると（ステップ５０２：Ｙｅｓ）、ＳＭＴＰサーバ６２に格納されている電子メールを受信する（ステップ５０４）。続いて、ＣＰＵ９ａは、電子メール送信用プログラムを自動的に立上げ、受信した電子メールに登録されている使用者データを検出し（ステップ５０６）、その検出した使用者データを送信先データとして送信先のエリアに登録した返信用電子メールを作成する（ステップ５０８）。また、返信用電子メールのメッセージの部分は、予め返信用の文章が登録されている。そして、ＣＰＵ９ａは、上記作成した返信用電子メールを送信し（ステップ５１０）、返信用電子メールの送信終了を検出すると（ステップ５１２：Ｙｅｓ）、回線を切断する（ステップ５１４）。
なお、ファクシミリ装置９から返信された返信用電子メールは、ＳＭＴＰサーバ６２からインターネットＡを介してＳＭＴＰサーバ６１へ送信され、ＳＭＴＰサーバ６１からメールサーバ６へ送信され、そのメールサーバ６によって格納される。
【００４８】
一方、ＰＣ２のＣＰＵ２ａは、図１１に示すように、メールサーバ６へアクセスし（ステップ６００）、メールサーバ６との接続を検出すると（ステップ６０２）、メールサーバ６に格納されている返信用の電子メールを受信する（ステップ６０４）。続いて、ＣＰＵ２ａは、返信用の電子メールの受信終了を検出すると（ステップ６０６）、回線を切断し（ステップ６０８）、受信した返信用の電子メールをＰＣ２に備えられたディスプレイに表示する（ステップ６１０）。
【００４９】
以上のように、本実施形態のファクシミリシステムを用いれば、ファクシミリ装置１０からファクシミリ装置９へ電子メールを送信すると、ファクシミリ装置９から自動的に返信用の電子メールをメールサーバ６へ送信することができる。
つまり、従来のファクシミリシステムでは、ファクシミリ装置１０から電子メールを送信しても、送信先の者が、電子メール送信プログラムを手動で立上げて返信用の電子メールを送信したり、直接電話をかけたりしない限り、ファクシミリ装置１０の使用者は、電子メールが送信先のファクシミリ装置９によって受信されたか否かを知ることができなかった。
しかし、本実施形態のファクシミリシステムを用いれば、上述のように、送信先のファクシミリ装置９は、電子メールを受信すると、返信用の電子メールを自動的に送信できるため、使用者は、電子メールが送信先のファクシミリ装置によって受信されたか否かを自分のＰＣ２で知ることができる。
なお、上記ステップ６００におけるメールサーバ６へのアクセスは、手動で行う他、メールサーバ６へ定期的にアクセスするプログラムを用いて自動的に行うこともできる。
【００５０】
ところで、ＣＰＵ３０により実行される図５のステップ２００および図６のステップ２０２〜ステップ２１２が、本発明の送信元情報設定手段として機能する。
また、ＣＰＵ３０により実行される図５のステップ３００および図８のステップ３０２〜ステップ３３６が、請求項１に記載の送信手段として機能し、そのうちステップ３３０が判断手段として機能する。
また、ＣＰＵ３０により実行される図９のステップ３０２〜ステップ３３６が、請求項２に記載の送信手段として機能し、そのうちステップ３２８が、出力手段として機能し、ステップ３３０が判断手段として機能する。
【００５１】
なお、上記各実施形態では、図５ないし図９に示した処理をファクシミリ装置１０に内蔵されたＣＰＵ３０が実行する場合を説明したが、ファクシミリ装置１０に接続されたＰＣ４８（図３）に内蔵されたＣＰＵに実行させることもできる。この場合、ファクシミリ装置１０およびＰＣ４８が、本発明のファクシミリ装置として機能する。
また、イメージスキャナとＰＣとを接続し、そのＰＣに内蔵されたＣＰＵが上記通信制御処理を実行する構成を採用することもできる。
上記のように、ＰＣに各処理を実行させる場合、その各処理を実行するためのコンピュータプログラムは、ＣＤ−ＲＯＭやＦＤなどの記憶媒体に記憶され、その記憶媒体に記憶されたコンピュータプログラムは、ＰＣに備えられたドライブを用いてインストールされる。
この場合、上記コンピュータプログラムが、使用者データを登録するためのプログラムを含むものである場合は、そのコンピュータプログラムは、請求項３に記載の送信元情報設定プログラムに対応し、上記送信制御処理を実行するための送信プログラムとを含むものである場合は、そのコンピュータプログラムは、請求項３に記載の送信プログラムに対応する。
【００５２】
【発明の効果】
請求項１および請求項２に記載の発明によれば、上記送信元情報設定手段は、装置固有の送信元情報とは異なる別の送信元情報を設定し、上記送信手段は、記録媒体に記録された画像情報を読取る読取手段によって読取られた画像情報を送信する際に、上記送信元情報設定手段によって設定された別の送信元情報を上記画像情報に付加して、上記送信先情報設定手段によって設定された送信先情報により特定される送信先へ送信することができる。
したがって、送信先の者は、画像情報に付加して送信された上記別の送信元情報を知ることができ、その送信元情報により示される送信元へ返信を行うことができる。これにより、ファクシミリ装置によって画像情報を送信した者は、送信先から送信された返信情報を自分のいる所で受信することができる。
【００５３】
特に、請求項１に記載の発明によれば、上記送信手段は、読取手段によって読取られた画像情報を通信手段を介して送信する際に、判断手段が、送信元情報設定手段により別の送信元情報が設定されていると判断した場合には、読取手段によって読取られた画像情報を送信元情報設定手段によって設定された別の送信元情報により示される相手先にも送信することができる。
したがって、ファクシミリ装置から送信先へ画像情報を正常に送信できなかった場合であっても、ファクシミリ装置から上記相手先へ画像情報が送信されるため、上記相手先から上記送信先へ画像情報を再送することができる。
【００５４】
また、請求項２に記載の発明では、上記出力手段は、上記送信先情報設定手段によって設定された送信先情報により特定される送信先に対する画像情報の送信結果を示す送信結果情報を出力し、上記送信手段は、判断手段が、送信元情報により別の送信元情報が設定されていると判断した場合には、上記別の送信元情報により示される相手先へ、上記出力手段によって出力された送信結果情報を送信することができる。
したがって、上記相手先の者は、送信結果をすぐに知ることができるため、その送信結果が画像情報を正常に送信できなかったことを示すものである場合は、すぐに画像情報を再送する手段を講じることができる。
【００５５】
【００５６】
また、請求項３に記載の発明によれば、装置固有の送信元情報とは異なる別の送信元情報をファクシミリ装置に設定することができる送信元情報設定プログラムと、ファクシミリ装置から画像情報を送信する際に、上記送信元情報設定プログラムによって設定された別の送信元情報を読取手段によって読取られた画像情報に付加して、ファクシミリ装置から、送信先情報設定手段によって設定された送信先情報により特定される送信先へ送信することができ、さらに、送信元情報設定プログラムによって別の送信元情報が設定されているかを判断し、別の送信元情報が設定されていると判断した場合には、読取手段によって読取られた画像情報を送信元情報設定プログラムによって設定された別の送信元情報により示される相手先にも送信する送信プログラムとが格納された記憶媒体であるため、その記憶媒体に格納されているコンピュータプログラムをファクシミリ装置に備えられたＣＰＵ、あるいは、ファクシミリ装置に接続されたコンピュータに実行させることにより、請求項１に記載の効果を奏するファクシミリ装置を実現できる。
さらに、請求項４に記載の発明によれば、装置固有の送信元情報とは異なる別の送信元情報をファクシミリ装置に設定することができる送信元情報設定プログラムと、ファクシミリ装置から画像情報を送信する際に、上記送信元情報設定プログラムによって設定された別の送信元情報を読取手段によって読取られた画像情報に付加して、ファクシミリ装置から、送信先情報設定手段によって設定された送信先情報により特定される送信先へ送信することができ、さらに、送信先情報設定手段によって設定された送信先情報により特定される送信先に対する画像情報の送信結果を示す送信結果情報を出力し、送信元情報設定プログラムによって別の送信元情報が設定されているかを判断し、別の送信元情報が設定されていると判断した場合には、送信元情報設定プログラムによって設定された別の送信元情報により示される相手先へ、上記出力された送信結果情報を送信する送信プログラムと、を含むコンピュータプログラムとが格納された記憶媒体であるため、その記憶媒体に格納されているコンピュータプログラムをファクシミリ装置に備えられたＣＰＵ、あるいは、ファクシミリ装置に接続されたコンピュータに実行させることにより、請求項２に記載の効果を奏するファクシミリ装置を実現できる。
【図面の簡単な説明】
【図１】  本発明実施形態のファクシミリシステムのネットワークをブロックで示す説明図である。
【図２】  本発明実施形態のファクシミリ装置の外観を示す説明図である。
【図３】  図２に示すファクシミリ装置の電気的構成をブロックで示す説明図である。
【図４】  図４（Ａ）は、ＥＥＰＲＯＭ３３に格納されている送信先データテーブル３３ａの説明図であり、図４（Ｂ）は、ＥＥＰＲＯＭ３３に格納されている使用者データテーブル３３ｂの説明図であり、図４（Ｃ）は、ＥＥＰＲＯＭ３３に格納されている装置固有データテーブル３３ｃの説明図であり、図４（Ｄ）は、ＲＯＭ３１に格納されているコンピュータプログラムの種類を示す説明図である。
【図５】  ＣＰＵ３０が実行する主な処理内容を示すフローチャートである。
【図６】  ＣＰＵ３０がステップ２００において実行する使用者データ登録処理を示すフローチャートである。
【図７】  ＣＰＵ３０がステップ３００において実行する送信制御処理を省略して示すフローチャートである。
【図８】  本発明第２実施形態のファクシミリ装置に備えられたＣＰＵによって実行される送信制御処理を示すフローチャートである。
【図９】  本発明第３実施形態のファクシミリ装置に備えられたＣＰＵによって実行される送信制御処理を示すフローチャートである。
【図１０】  ファクシミリ装置９に備えられたＣＰＵ９ａによって実行される返信制御処理を示すフローチャートである。
【図１１】  ＰＣ２に備えられたＣＰＵ２ａによって実行される受信制御処理を示すフローチャートである。
【符号の説明】
１    ＬＡＮケーブル
２    ＰＣ
９    ファクシミリ装置（受信側端末装置）
１０    ファクシミリ装置
３０    ＣＰＵ
３３    ＥＥＰＲＯＭ
３３ａ  送信先データテーブル
３３ｂ  使用者データテーブル
３３ｃ  装置固有データテーブル
Ａ    インターネット
Ｂ    公衆通信交換網
【図１】
0003750005.tif 000002
【図２】
0003750005.tif 000003
【図３】
0003750005.tif 000004
【図４】
0003750005.tif 000005
【図５】
0003750005.tif 000006
【図６】
0003750005.tif 000007
【図７】
0003750005.tif 000008
【図８】
0003750005.tif 000009
【図９】
0003750005.tif 000010
【図１０】
0003750005.tif 000011
【図１１】
0003750005.tif 000012